(57)【特許請求の範囲】
【請求項１】
敷き布団の全体を包むように袋状をなして前記敷き布団の表面側と裏面側の全面を覆い、一方の側部に敷き布団の出し入れ口を有し、その出し入れ口を閉じる手段が取り付けられ、さらに他方の側部の前後コーナー部に側方にのみ開口する開口を有することを特徴とする敷き布団カバー。
【請求項２】
さらに前記他方の側部の中央部に開口を有することを特徴とする請求項１に記載された敷き布団カバー。
【請求項３】
掛け布団の全体を包むように袋状をなして前記掛け布団の表面側と裏面側の全面を覆い、一方の側部にその全長の大部分を占める中央領域において開口する掛け布団の出し入れ口を有し、その出し入れ口を閉じる手段が取り付けられ、さらに前記一方の側部の前後コーナー部に側方にのみ開口する開口を有し、かつ他方の側部の前後コーナー部に側方にのみ開口する開口を有することを特徴とする掛け布団カバー。
【請求項４】
さらに前記他方の側部の中央部に開口を有することを特徴とする請求項３に記載された掛け布団カバー。
【請求項５】
掛け布団の全体を包むように袋状をなし、表面中央領域に大きく開口した掛け布団の出し入れ口を有し、前記出し入れ口を除いて掛け布団の表面側と裏面側の全面を覆い、両側部の前後コーナー部に側方にのみ開口する開口を有することを特徴とする掛け布団カバー。
【請求項６】
さらに両側部の中央部に開口を有することを特徴とする請求項５に記載された掛け布団カバー。
【請求項７】
後端部に掛け布団カバーとほぼ同じ幅の延長カバーを取り付けたことを特徴とする請求項３〜６のいずれかに記載された掛け布団カバー。
【発明の詳細な説明】
【０００１】
【産業上の利用分野】
本発明は、敷き布団及び掛け布団のカバーに関する。
【０００２】
【従来の技術】
従来の敷き布団カバーは、敷き布団の全体を包むように袋状をなし、一方の側部の長さのほぼ全部が開口し又は大部分を占める中央領域が開口して、これが敷き布団の出し入れ口となり、この出し入れ口にチャックやヒモが取り付けられて閉じることができるようになっており、他方の側部は全長にわたり縫い合わされている。
【０００３】
また、従来の掛け布団カバーは、敷き布団カバーと同じく、掛け布団の全体を包むように袋状をなし、一方の側部の長さのほぼ全部が開口し又は大部分を占める中央領域が開口して、これが掛け布団の出し入れ口となり、この出し入れ口にチャックやヒモが取り付けられ、他方の側部は全長にわたり縫い合わされている。あるいは、表（おもて）面の中央領域が大きく開口して、これが掛け布団の出し入れ口とされたものもある。この場合、両側部は長さの全部が縫い合わされている。
【０００４】
【発明が解決しようとする課題】
ところで、敷き布団に布団カバーを掛ける場合、敷き布団は比較的コシが強いので、これを布団カバーの中に押し入れると比較的簡単に一面に広がるが、敷き布団の角（カド）が布団カバーのコーナー部の端までなかなか届きにくいため、カバー替えのたびに苦労する。また、掛け布団は敷き布団に比べてコシが弱いものが多いためさらに大変である。
【０００５】
例えば冬用の羽毛布団等のように厚地の掛け布団に布団カバーを掛ける場合、その厚みが邪魔になって掛け布団の角が布団カバーのコーナー部の端に届きにくい。また、薄い肌掛け布団や夏布団、毛布等の薄地の掛け布団の場合、コシがきわめて弱いため、布団カバーの中に押し入れても隅々まで広げるのが一層難儀であり、また、苦労して広げても就寝中に掛け布団が布団カバーの中でよじれてダンゴ状態になりやすく、これを再び広げるのがまた難儀である。
布団カバーの内側４隅にヒモを付け、掛け布団の方には４隅に斜めに帯を付け、掛け布団を布団カバーに入れてからヒモを帯に結び付け、掛け布団が布団カバーの中でずれるのを防止したものも知られているが、いずれにしても掛け布団の４つ角を布団カバーの４隅まできちんと広げ、次いで両者のヒモを結び付けるのはきわめて難儀な仕事である。
【０００６】
敷き布団や掛け布団のカバー掛けには上記のような問題点があり、従来より、布団を隅々まで簡単に広げ短時間でカバー掛けができる布団カバーが求められている。特に、客商売の温泉地等の観光ホテル、旅館、民宿等では、毎回カバー替えをする必要があり、その要求は切実である。また、布団が布団カバーの中でよじれたときも簡単に元のように直せる布団カバーが求められている。
本発明は、この要求に答えるもので、敷き布団や掛け布団を隅々まで簡単に広げることができ、短時間でカバー掛けができる布団カバーを得ることを目的とする。
【０００７】
【課題を解決するための手段】
本発明に係る敷き布団カバーは、敷き布団の全体を包むように袋状をなして前記敷き布団の表面側と裏面側の全面を覆い、一方の側部に敷き布団の出し入れ口を有し、その出し入れ口を閉じる手段が取り付けられ、さらに他方の側部の前後コーナー部に側方にのみ開口する開口を有することを特徴とする。必要に応じて、さらに前記他方の側部の中央部に開口を有することもできる。
前記開口は布団掛けをする人が、そこから手を中に入れて敷き布団をつかみ、引っ張って隅まで広げるためのもので、片手が入るだけの長さを有する必要があり、良好な作業性のためには２５〜３０ｃｍ以上の長さがあるのが望ましい。また、前記出し入れ口は、例えば、一方の側部のほぼ全長にわたり開口するか、又は全長の大部分を占める中央領域において開口していればよい。出し入れ口を閉じる手段は、例えばチャックやヒモであり、それが出し入れ口に取り付けられる。
【０００８】
本発明に係る掛け布団カバーは、掛け布団の全体を包むように袋状をなして前記掛け布団の表面側と裏面側の全面を覆い、一方の側部にその全長の大部分を占める中央領域において開口する掛け布団の出し入れ口を有し、その出し入れ口を閉じる手段が取り付けられ、さらに前記一方の側部の前後コーナー部に側方にのみ開口する開口を有し、かつ他方の側部の前後コーナー部に側方にのみ開口する開口を有することを特徴とする。必要に応じて、さらに前記他方の側部の中央部に開口を有することもできる。なお、本発明において、掛け布団には毛布なども含まれる。
前記開口は敷き布団カバーの開口と同じ意味を有し、長さも同じでよい。出し入れ口を閉じる手段は、敷き布団カバーの場合と同じく例えばチャックやヒモであり、それが出し入れ口に取り付けられる。
【０００９】
また、本発明に係る別の掛け布団カバーは、掛け布団の全体を包むように袋状をなし、表面中央領域に大きく開口した掛け布団の出し入れ口を有し、前記出し入れ口を除いて掛け布団の表面側と裏面側の全面を覆い、両側部の前後コーナー部に側方にのみ開口する開口を有することを特徴とする。必要に応じて、さらに両側部の中央部に開口を有することもできる。前記開口は敷き布団カバーの開口と同じ意味を有し、長さも同じでよい。
さらに、以上述べた全ての掛け布団カバーは、その後端部に掛け布団カバーとほぼ同じ幅の延長カバーを取り付けることができる。この延長カバーは、掛け布団の後端が浮くような場合（長身の人が寝るとき）に足元を覆い、冬場にすきま風が入って足元が冷えるのを防止するためのものである。これは掛け布団カバーに対し着脱自在としてもよい。また、この延長カバーは、従来の一般的な掛け布団カバーに取り付けても同じ効果がある。
【００１０】
【発明の実施の形態】
以下、図１〜図５を参照して、本発明に係る敷き布団及び掛け布団の布団カバーをより具体的に説明する。
図１に示す敷き布団カバー（中に敷き布団が入った状態）は、敷き布団の全体を包むように袋状をなし、一方の側部に敷き布団の出し入れ口１を有し、その出し入れ口１を閉じる手段として複数箇所にヒモ２が取り付けられ、他方の側部の前後コーナー部及び中央部に開口３〜５を有する。ヒモ２は出し入れ口１の表（おもて）面側と裏（うら）面側に縫いつけられ、それを結ぶことで出し入れ口１を閉じることができる。コーナー部の開口３、４はコーナーの端から所定長さ（３０ｃｍほど）開き、中央部の開口５も同程度の長さ開いており、開口３と５の間及び開口４と５の間（矢印で示す箇所）は表面側と裏面側が縫い合わされている。
【００１１】
この布団カバーを敷き布団に掛けるときは、敷き布団を出し入れ口１から押し入れ、開口３、４から順番に手を入れて敷き布団の角をつかみ、引っ張ってカバーのそれぞれの隅まで広げ、必要に応じて開口５から敷き布団の中央部をつかみ、引っ張って広げる。次いで出し入れ口１側から手を入れ、出し入れ口１側の敷き布団の角をきちんと広げ、ヒモ２を結んで出し入れ口１を閉じる。
なお、この例では、出し入れ口１が布団カバーの側部の全長にわたり開口しているが、側部の全長の大部分を占めるのであればその中央領域のみで開口していてもよい（例えば図３に示す出し入れ口２１参照）。敷き布団は比較的コシがあるので、出し入れ口１側の角は広げやすく、従って、出し入れ口１がコーナーの端まで開いていなくてもよい。
【００１２】
図２に示す敷き布団カバー（中に敷き布団が入った状態）は、出し入れ口１１を閉じる手段が側部のほぼ全長に取り付けられたチャック１２である点で、図１に示す敷き布団カバーと異なっているが、その他の点は同一である。
【００１３】
図３に示す掛け布団カバー（中に掛け布団が入った状態、（ｃ）にのみ就寝中の人が描かれている）は、掛け布団の全体を包むように袋状をなし、一方の側部の全長の大部分を占める中央領域に出し入れ口２１を有し、その出し入れ口２１を閉じる手段として複数箇所にヒモ２２が取り付けられ、同側部の前後コーナー部に開口２３、２４を有し、該開口２３、２４と出し入れ口２１の間（矢印で示す箇所）は表面側と裏面側が縫い合わされ、また他方の側部の前後コーナー部及び中央部に開口２５〜２７を有し、開口２５と２７の間及び開口２６と２７の間（矢印で示す箇所）は表面側と裏面側が縫い合わされている。開口２３〜２６は各コーナーの端から所定長さ（３０ｃｍほど）開き、中央部の開口２７も同程度の長さ開いている。
【００１４】
上記掛け布団カバーは、前端部に例えば特開平９−２８９９３９号公報に記載されたような衿カバー２８が取り付けられている。この衿カバー２８は帯状で幅方向の中央に緩みを有する衿ぐり部２８ａを備え、後端が掛け布団カバーの前端部に縫い付けられている。衿カバー２８は例えばタオル地の帯状布からなり、衿ぐり部２８ａの左右に近接して上下方向のタック２８ｂが形成されている。この衿ぐり部２８ａもタックの組合せにより形成することができる。この衿カバー２８は掛け布団カバーに対して着脱自在とし、襟元が寒いときにのみ装着するようにしてもよい。
また、掛け布団カバーの後端部には延長カバー２９が取り付けられている。これは、先に述べたように、掛け布団の後端が浮くような場合に足元を覆い、冬場にすきま風が入って足元が冷えるのを防止するためのもので、例えばタオル地や毛布地の帯状布、薄手の布団などからなる。この延長カバー２９も掛け布団カバーに対し着脱自在とし、足元が寒いときにのみ装着するようにしてもよい。
なお、２０は掛け布団カバーの表面の中央部の開口（掛け布団の模様が見えるようにするもの）を覆うレース状又は編目状のカバーである。
【００１５】
この布団カバーを掛け布団に掛けるときは、掛け布団を出し入れ口２１から押し入れ、開口２３〜２６から順番に手を入れて敷き布団の角をつかみ、引っ張ってカバーのそれぞれの隅まで広げ、必要に応じて出し入れ口２１及び開口２７から掛け布団の中央部をつかみ、引っ張って広げ、次いでヒモ２２を結んで出し入れ口２１を閉じる。このようにすることで、毛布のように薄い掛け布団でも厚い掛け布団でも簡単に隅々まで広げることができる。特に２人で両方から同時に引っ張れば作業効率が高い。また、就寝中に掛け布団がダンゴ状態になっても、これを直すのが容易である。なお、従来例のように掛け布団カバーの内側４隅にヒモを付けておき、掛け布団を布団カバー内に広げた後、このヒモを掛け布団の４隅の帯に結び付けてもよい。
【００１６】
図４に示す掛け布団カバー（中に掛け布団が入った状態）は、出し入れ口３１を閉じる手段がチャック３２である点で、図３に示す敷き布団カバーと異なっているが、その他の点は同一である。
【００１７】
図５に示す掛け布団カバー（中に掛け布団が入った状態）は、掛け布団の全体を包むように袋状をなし、表面中央領域に大きく開口した掛け布団の出し入れ口５１を有し、両側部の前後コーナー部に開口５２〜５７を有する。開口５２、５３、５５、５６は各コーナーの端から所定長さ（３０ｃｍほど）開き、中央部の開口５４、５７も同程度の長さ開き、各開口５２〜５７の間（矢印で示す箇所）は表面側と裏面側が縫い合わされている。
この布団カバーを掛け布団に掛けるときは、掛け布団を出し入れ口５１から押し入れるが、その他の点は、これまで述べた掛け布団カバーとほぼ同じである。
【００１８】
【発明の効果】
本発明によれば、敷き布団や掛け布団を隅々まで簡単に広げることができ、短時間でカバー掛けができるようになる。また、就寝中に掛け布団がよじれたりダンゴ状になっても容易に元通りに直すことができる。客商売の温泉地等の観光ホテル、旅館、民宿、そのほか病院等、毎回多数のカバー替えをする必要がある施設では、従業員の労力を大きく軽減することができるので、特に有効と考えられる。
【図面の簡単な説明】
【図１】本発明に係る敷き布団カバーの平面図（ａ）、正面図（ｂ）及び背面図（ｃ）である。
【図２】本発明に係る他の敷き布団カバーの平面図（ａ）、正面図（ｂ）及び背面図（ｃ）である。
【図３】本発明に係る掛け布団カバーの平面図（ａ）、正面図（ｂ）及び背面図（ｃ）である。
【図４】本発明に係る他の掛け布団カバーの平面図（ａ）、正面図（ｂ）及び背面図（ｃ）である。
【図５】本発明に係る他の掛け布団カバーの平面図（ａ）、正面図（ｂ）及び背面図（ｃ）である。
【符号の説明】
１  １１、２１、３１、５１  出し入れ口
２、２２  ヒモ
３〜５、２３、２４、２５〜２７、５２〜５７  開口
１２、３２  チャック
２８  衿カバー
２９  延長カバー
【図１】
0003560059.tif 000002
【図２】
0003560059.tif 000003
【図３】
0003560059.tif 000004
【図４】
0003560059.tif 000005
【図５】
0003560059.tif 000006